(57)【要約】      （修正有）【課題】簡単且つ確実に収納および多段階の伸長が可能なアンテナを有する携帯無線機を提供する。【解決手段】携帯無線機１０は、不使用時にはアンテナ収納部１４に収納可能であると共に使用時には電波強度に応じて複数段階に伸長可能な第１アンテナ２１および第２アンテナ２２を有する。第１アンテナ２１にコイルばね２３が装着され、収納状態から操作ボタン１５のスライド操作により１段階目の伸長状態へ移行され、更に第１アンテナ２１の基部近傍に形成された穴２１ｃに係合する弾性係合片２２ｃを有するコイルばね２４が装着された第２、１段階目の伸長状態で、穴２１ｃから弾性係合片２２ｃの係合を解除して２段階目の伸長状態とする。【選択図】図２（Ａ）
2005159733.tif 000002
【特許請求の範囲】
【請求項１】
本体のアンテナ収納部内に収納および伸長自在且つ相互に同軸状に配置された第１アンテナおよび第２アンテナを備え、前記第１アンテナおよび前記第２アンテナを２段階に伸長可能に構成された携帯無線機において、
前記第１アンテナは、基部に第１ばねを装着して前記アンテナ収納部内に配置され、前記第２アンテナは、基部に第２ばねを装着して前記第１アンテナ内に保持され、前記アンテナ収納部の外面には、前記第１ばねに抗して前記第１アンテナを収納位置に保持する操作ボタンを備えることを特徴とする携帯無線機。
【請求項２】
前記第１アンテナの前記基部の近傍に係合部が設けられ、該係合部は、前記操作ボタンと係合するとともに、該係合を解除すると前記アンテナ収納部の入口近傍に形成された突起と係合することを特徴とする請求項１に記載の携帯無線機。
【請求項３】
前記第１アンテナの前記基部近傍に、前記第１アンテナの長手方向に対して直交する穴が形成され、前記第２アンテナを縮み位置に保持することを特徴とする請求項１又は２に記載の携帯無線機。
【請求項４】
前記第２アンテナの前記基部の近傍には、前記第１アンテナの前記穴と係合する弾性係止片を有することを特徴とする請求項３に記載の携帯無線機。
【請求項５】
前記第２アンテナの前記弾性係止片は、略Ｖ字状であることを特徴とする請求項４に記載の携帯無線機。
【請求項６】
前記アンテナの１段階目の伸長状態では、前記第１アンテナの前記穴が前記アンテナ収納部の入口より僅かに外に位置することを特徴とする請求項１乃至５の何れかに記載の携帯無線機。
【請求項７】
前記アンテナの１段階目の伸長状態で、前記第１アンテナの前記穴の外部から前記第２アンテナの弾性係合片の係合を解除することにより２段階目の伸長状態にすることを特徴とする請求項１乃至６の何れかに記載の携帯無線機。
【発明の詳細な説明】
【技術分野】
【０００１】
本発明は携帯無線機に関し、特に無線基地局と無線により送受信する際の電波状態に応じて２段階に伸長可能な携帯電話機等の携帯無線機用アンテナの実装構造に関する。
【背景技術】
【０００２】
携帯無線機は、比較的狭いサービスエリアを有する多数の無線基地局を設け、これら無線基地局のサービスエリア内にある携帯無線機と通信することにより、無線基地局を介して携帯無線機相互間又は携帯無線機と固定電話機との間で通信を行うように構成されている。携帯無線機の使用者（ユーザ）が１つの無線基地局のサービスエリアから他の無線基地局のサービスエリア内に移動すると、携帯無線機の最寄の無線基地局へ切り替えられて、携帯無線機の使用者の介在なく、使用者は通信を継続することが可能である。
【０００３】
携帯無線機の通信には、約１ＧＨｚのマイクロ波を使用している。従って、１つの無線基地局のサービスエリア内であっても、無線基地局から（携帯無線機までの）距離、地形、建物や樹木等の固定障害物の有無、車両その他の移動障害物の有無、屋内又は屋外等の種々の要因により送受信電波強度は変化する。携帯無線機および無線基地局間において最小エラー率で安定的に通信するには、十分な電波強度を有することが必要である。
【０００４】
携帯無線機には、無線基地局との間で送受信するためのアンテナが備えられている。このアンテナは、携帯無線機の不使用状態では、その携帯性を考慮して、携帯無線機の本体内に収容するのが一般的である。また、無線基地局からの電波強度が十分である場合には、携帯無線機のアンテナを本体のアンテナ収納部に収納した状態でも十分安定的に通信可能である。しかし、上述した障害物の存在又は無線基地局からの距離が遠い場合等には、電波強度が不十分であるので、携帯無線機のアンテナを本体から引き出し又は伸長して電波送受信強度を高めて通信するのが一般的である。また、電波の受信状態を良好にするために、電波強度又は通信状態に応じてアンテナを２段階以上に伸長する携帯無線機が提案され実用化されている。
【０００５】
アンテナを伸長又は引き出し可能な従来の携帯無線機は、種々の文献に開示されている。ばね体を内蔵し、ハウジングを持っている片手のみでアンテナの引き上げ操作を可能にする携帯電話機が開示されている（例えば、特許文献１参照）。同様に、スプリングのばね反力によりアンテナを使用位置まで伸長し保持する移動電話用アンテナが開示されている（例えば、特許文献２参照）。
【特許文献１】登録実用新案公報第３０５０２７４号（第６−７頁、第１図）
【特許文献２】登録実用新案公報第３０５４８６２号（第４−５頁、第１図）
【発明の開示】
【発明が解決しようとする課題】
【０００６】
しかし、従来の携帯無線機では、簡単な操作、特に片手でアンテナを２段階以上に伸長させるものは提案されていない。即ち、携帯無線機を一方の手で保持すると共に、他方の手でアンテナの先端を掴み伸張させる必要があった。斯かる操作は、使用者（ユーザ）の両手がフリー状態であれば特に問題はないが、ユーザが片手で何らかの作業中、例えば鞄その他を片手で持っている場合又は車両のハンドルを操作中等の場合には、両手を使用することができないので、アンテナを十分高感度状態へ操作することが困難であるという課題があった。
【０００７】
本発明は、従来技術の上述した課題に鑑みなされたものであり、本発明の主要目的は、アンテナを片手で簡単に２段階以上に伸長させることが可能な携帯無線機を提供することである。
【課題を解決するための手段】
【０００８】
前述の課題を解決するため、本発明による携帯無線機は、次のような特徴的な構成を採用している。
【０００９】
（１）本体のアンテナ収納部内に収納および伸長自在且つ相互に同軸状に配置された第１アンテナおよび第２アンテナを備え、前記第１アンテナおよび前記第２アンテナを２段階に伸長可能に構成された携帯無線機において、
前記第１アンテナは、基部に第１ばねを装着して前記アンテナ収納部内に配置され、前記第２アンテナは、基部に第２ばねを装着して前記第１アンテナ内に保持され、前記アンテナ収納部の外面には、前記第１ばねに抗して前記第１アンテナを収納位置に保持する操作ボタンを備える携帯無線機。
【００１０】
（２）前記第１アンテナの前記基部の近傍に係合部が設けられ、該係合部は、前記操作ボタンと係合するとともに、該係合を解除すると前記アンテナ収納部の入口近傍に形成された突起と係合する上記（１）に記載の携帯無線機。
【００１１】
（３）前記第１アンテナの前記基部近傍に、前記第１アンテナの長手方向に対して直交する穴が形成され、前記第２アンテナを縮み位置に保持する上記（１）又は（２）に記載の携帯無線機。
【００１２】
（４）前記第２アンテナの前記基部の近傍には、前記第１アンテナの前記穴と係合する弾性係止片を有する上記（３）に記載の携帯無線機。
【００１３】
（５）前記第２アンテナの前記弾性係止片は、略Ｖ字状である上記（４）に記載の携帯無線機。
【００１４】
（６）前記アンテナの１段階目の伸長状態では、前記第１アンテナの前記穴が前記アンテナ収納部の入口より僅かに外に位置する上記（１）乃至（５）の何れかに記載の携帯無線機。
【００１５】
（７）前記アンテナの１段階目の伸長状態で、前記第１アンテナの前記穴の外部から前記第２アンテナの弾性係合片の係合を解除することにより２段階目の伸長状態にする上記（１）乃至（６）の何れかに記載の携帯無線機。
【発明の効果】
【００１６】
本発明の携帯無線機によると次の如き実用上の顕著な効果を有する。即ち、第１アンテナおよび第２アンテナは、それぞれ基部にばねが装着されているので、簡単な操作で、アンテナを複数の伸長状態に切替選択可能である。１段階目の伸長状態には、操作ボタンのスライド操作により、また２段階目の伸長状態には指等により第１アンテナの穴を押すことにより切替可能であるので、携帯無線機を保持する片手により簡単且つ迅速に操作することが可能である。
【実施例１】
【００１７】
以下、本発明による携帯無線機の好適実施例の構成および動作を、添付図面を参照して詳細に説明する。
【００１８】
図１は、本発明による携帯無線機の好適実施例の外観を示す斜視図である。この携帯無線機１０は、携帯性を良好にするために折り畳み式に構成され、それぞれ折り畳まれた内側にテンキー等の操作キー（図示せず）を有する第１部分１１および液晶表示装置（ＬＣＤ）等の表示パネル（図示せず）を有する第２部分１２が、相互にヒンジ部１３により回転可能に連結されている。この特定の携帯無線機１０にあっては、第２部分１２の外面に、アンテナ２０、アンテナ収納部１４、ＣＣＤ（電荷結合素子）等を使用するカメラ３０および操作ボタン１５等を有する。
【００１９】
図１において、（Ａ）は、アンテナ２０が第２部分１２の内部に押し込まれた状態（例えば、不使用状態）を示す。（Ｂ）は、アンテナ２０を１段階目へ伸長させた状態を示す。また、（Ｃ）は、アンテナ２０を上述した１段階目より長い２段階目へ伸張させた状態を示す。このように、アンテナ２０は、携帯無線機１０の使用／不使用状態又は電波送受信感度に応じて伸縮する。
【００２０】
詳細は後述するが、この実施例の携帯無線機１０のアンテナ２０は、第１アンテナ２１および第２アンテナ２２を有する。図１（Ａ）の状態では、アンテナ２０の第１アンテナ２１および第２アンテナ２２が共に携帯無線機１０の第２部分１２のアンテナ収納部１４の内部に実質的に完全に収納される。次に、図１（Ｂ）の１段階目の伸長状態では、第１アンテナ２１は、アンテナ収納部１４から完全に伸張されるが、第２アンテナ部２２は、一部分のみが現れ、残りの部分は、第１アンテナ部２１内に収納されている。一方、図１（Ｃ）の２段階目の伸長状態では、第１アンテナ部２１および第２アンテナ部２２の両方が、アンテナ収納部１４から完全に伸長されている。
【００２１】
次に、図２を参照して本発明の携帯無線機１０の詳細構成を説明する。図２（Ａ）は、携帯無線機１０のアンテナ収納部１４の部分断面図およびアンテナ２０の分解正面図である。また、図２（Ｂ）は、図２（Ａ）の円ａで示す部分の拡大図である。
【００２２】
先ず、図２（Ａ）の左端に示す如く、携帯無線機１０のアンテナ収納部１４は、携帯無線機１０の本体の上端部を入口とする細長い開口１４ａを有する。図２（Ｂ）に示す如く、その入口近傍の内側に突起（又は突条）１４ｂが形成されている。
【００２３】
アンテナ２０を構成する第１アンテナ２１は、図２（Ａ）の中央部に示す如く、全体が比較的大径の導電性金属により構成され、比較的細長い基部（又は下端部）２１ａにはコイルばね（第１ばね）２３が装着されている。基部２１ａから上方へ中空部又は筒状部が延びる。基部２１ａ近傍の中空部の外面には係合部２１ｂが突出形成され、更にその上方には、中空部の長手方向に直交する穴２１ｃが形成されている。そして、中空部の上端には、先端が絞られたキャップ２１ｄが形成されている。係合部２１ｂは、後述する如く、操作ボタン１５の弾性係合部と係合し、携帯無線機１０の不使用時等に、コイルばね２３の弾性に抗して第１アンテナ２１を携帯無線機１０のアンテナ収納部１４内に収納可能にする。
【００２４】
一方、アンテナ２０を構成する第２アンテナ２２は、図２（Ａ）の右端に示す如き構成である。即ち、全体として比較的細長い導電性金属製の軸状部２２ｂであり、上端にはヘッド２２ｄが形成されている。基部２２ａにはコイルばね（第２ばね）２４が装着され、軸状基部２２ａ近傍には略Ｖ字状の弾性係合片２２ｃが形成されている。この第２アンテナ２２の軸状部２２ｂは、コイルばね２４と共に上述した第１アンテナ２１の中空部内に同軸状に挿入される。
【００２５】
次に、図３を参照して、本発明による携帯無線機１０の動作、特にアンテナ２０の収納および伸長動作を説明する。図３において、（Ａ）はアンテナ２０の収納状態を示す正面図である。（Ｂ）乃至（Ｄ）は、図３（Ａ）のアンテナ収納部１４に沿う線Ａ−Ａの断面図であり、（Ｂ）はアンテナ２０の収納状態、（Ｃ）は１段階目の伸長状態および（Ｄ）は２段階目の伸長状態を示す。また、（Ｅ）は図３（Ｂ）の円ｂ部分、即ちアンテナ収納部１４の下端部分の拡大断面図である。（Ｆ）は、図（Ｃ）の円ｃ部分、即ち第１アンテナ２１と第２アンテナ２２の係合部近傍の拡大断面図である。
【００２６】
先ず、図３（Ａ）および（Ｂ）に示すアンテナ２０の収納状態では、第１アンテナ２１は、その２１ａが操作部１５の弾性係合部１５ａと嵌合して、コイルばね２３の弾性に抗して第１アンテナ２１をアンテナ収納部１４内に収納する。また、第２アンテナ２２は、その片２２ｃが第１アンテナ２１の穴２１ｃと係合し、コイルばね２４の弾性に抗して第１アンテナ２１の中空部内に収納される。従って、携帯無線機１０の外部には、第２アンテナ２２のヘッド２２ｄが露出するのみであり、携帯無線機１０をコンパクトにして携帯性を高めている。
【００２７】
次に、図３（Ｃ）および（Ｆ）を参照して、アンテナ２０の１段階目の伸長状態について説明する。この状態では、第１アンテナ２１および第２アンテナ２２の関係は図３（Ｂ）に示す収納状態と実質的に同様であるが、使用者（ユーザ）が操作ボタン１５を、図３（Ｂ）に矢印で示す如く下方にスライドすることにより、第１アンテナ２１の係合部ｂと操作部１５の弾性係合部１５ａの係合が解除される。その結果、コイルばね２３の弾性により第１アンテナ２１およびこれに保持された第２アンテナ２２が上方へ飛び出す。そして、第１アンテナ２１の係合部２１ｂがアンテナ収納部１４の空洞１４ａの入口に形成された突起１４ｂと係合し、この位置に停止する。
【００２８】
次に、図３（Ｄ）を参照して、アンテナ２０の２段階目の伸長状態について説明する。図３（Ｃ）に示す１段階目のアンテナ伸長状態において、使用者が指等により穴２１ｃを押して、第２アンテナ２２の弾性係合片２２ｃの自由端部を内方へ撓める。これにより、コイルばね２４の復帰力で第２アンテナ２２が第１アンテナ２１内から飛び出して、２段階目の伸長状態となる。尚、アンテナ２０をアンテナ収納部１４へ収納状態にするには、例えば第２アンテナ２２のヘッドを指等で押し、第２アンテナ２２および第１アンテナ２１をアンテナ収納部１４内に押し込めばよい。
【００２９】
以上、本発明による携帯無線機の好適実施例の構成および動作を詳述した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。例えば、携帯無線機は、必ずしもヒンジによる折り畳み型である必要はない。また、アンテナは、必要に応じて３段階以上に伸長可能にしてもよい。
【図面の簡単な説明】
【００３０】
【図１（Ａ）】本発明による携帯無線機の外観を示す斜視図であり、アンテナの収納状態を示す。
【図１（Ｂ）】本発明による携帯無線機の外観を示す斜視図であり、アンテナの１段階目の伸長状態を示す。
【図１（Ｃ）】本発明による携帯無線機の外観を示す斜視図であり、２段階目の伸長状態を示す。
【図２（Ａ）】本発明の携帯無線機の好適実施例の詳細構成を示し、アンテナの分解正面図を示す。
【図２（Ｂ）】本発明による携帯無線機の外観を示す斜視図であり、アンテナ収納部の拡大部分断面図である。
【図３（Ａ）】本発明の携帯無線機の好適実施例の動作説明図であり、不使用状態の外観を示す正面図を示す。
【図３（Ｂ）】本発明の携帯無線機の好適実施例の動作説明図であり、アンテナの収納状態を示す。
【図３（Ｃ）】本発明の携帯無線機の好適実施例の動作説明図であり、１段階目の伸長状態を示す。
【図３（Ｄ）】本発明の携帯無線機の好適実施例の動作説明図であり、２段階目の伸長状態の断面図を示す。
【図３（Ｅ）】本発明の携帯無線機の好適実施例の動作説明図であり、図（Ｂ）中の円ｂ内の拡大図を示す。
【図３（Ｆ）】本発明の携帯無線機の好適実施例の動作説明図であり、図（Ｃ）中の円ｃ内の拡大図である。
【符号の説明】
【００３１】
１０  携帯無線機
１４  アンテナ収納部
１４ｂ  突起
１５  操作ボタン
２０  アンテナ
２１  第１アンテナ
２２  第２アンテナ
２１ａ、２２ａ  基部
２１ｂ  係合部
２１ｃ  穴
２２ｃ  係合片
２３、２４  コイルばね
【図１（Ａ）】
2005159733.tif 000003
【図１（Ｂ）】
2005159733.tif 000004
【図１（Ｃ）】
2005159733.tif 000005
【図２（Ａ）】
2005159733.tif 000006
【図２（Ｂ）】
2005159733.tif 000007
【図３（Ａ）】
2005159733.tif 000008
【図３（Ｂ）】
2005159733.tif 000009
【図３（Ｃ）】
2005159733.tif 000010
【図３（Ｄ）】
2005159733.tif 000011
【図３（Ｅ）】
2005159733.tif 000012
【図３（Ｆ）】
2005159733.tif 000013